(57)【要約】【課題】内容物の用紙ずれを防止する。【解決手段】封筒作成ジョブに基づいて印刷部１１４により窓付き封筒用紙Ｐ１および内容物用紙Ｐ２を印刷する印刷装置２と、印刷装置２により宛名が印刷された内容物用紙Ｐ２を内容物折畳部１２１で折り畳んで宛名が窓付き封筒用紙Ｐ１の窓枠内となるように封入封緘する封入封緘装置３とを備えた封書作成システム１であって、封筒作成ジョブに含まれる内容物用紙Ｐ２の枚数および用紙厚に基づいて、窓付き封筒用紙Ｐ１に封入された内容物用紙Ｐ２に位置ずれが生じるか否かを判定する判定部１１９ａと、窓付き封筒用紙Ｐ１に封入された内容物用紙Ｐ２に位置ずれが生じると判定された場合に、内容物用紙Ｐ２の復元力を強化する復元力強化部１１９ｂとを備える。【選択図】図２
2019206403.tif 000002
【特許請求の範囲】
【請求項１】
封筒作成ジョブに基づいて印刷手段により窓付き封筒および内容物を印刷する印刷装置と、前記印刷装置により宛名が印刷された内容物を紙折り手段で折り畳んで前記宛名が前記窓付き封筒の窓枠内となるように封入封緘する封入封緘装置とを備えた封書作成システムであって、
前記封筒作成ジョブに含まれる前記内容物の枚数および用紙厚に基づいて、前記窓付き封筒に封入された内容物に位置ずれが生じるか否かを判定する判定手段と、
前記窓付き封筒に封入された内容物に位置ずれが生じると判定された場合に、前記内容物の復元力を強化する復元力強化手段と、
を備えたことを特徴とする封書作成システム。
【請求項２】
前記紙折り手段は、前記内容物を搬送しながら挟み込み押圧することに紙折りを行うローラと、前記ローラの押圧力を第一押圧力または前記第一押圧力より低い第二押圧力のいずれかに調整する押圧力調整手段とを有し、
前記復元力強化手段は、
前記内容物の枚数が所定枚数より少なく、かつ前記用紙厚が所定用紙厚より薄い場合に、前記押圧力調整手段による押圧力を前記第第二押圧力に調整させる
ことを特徴とする請求項１記載の封書作成システム。
【請求項３】
前記印刷装置は、複数種類の前記内容物をそれぞれ載置する給紙トレイを有し、前記給紙トレイからいずれかの内容物を前記印刷手段へ給紙する給紙手段を備え、
前記復元力強化手段は、
前記内容物の枚数が所定枚数より少なく、かつ前記用紙厚が所定用紙厚より薄い場合に、前記封筒作成ジョブに含まれる前記用紙厚より厚い内容物を前記給紙手段に給紙させる
ことを特徴とする請求項１記載の封書作成システム。
【請求項４】
封筒作成ジョブに基づいて印刷手段により窓付き封筒および内容物を印刷する印刷装置と接続され、前記印刷装置により宛名が印刷された内容物を紙折り手段で折り畳んで前記宛名が前記窓付き封筒の窓枠内となるように封入封緘する封入封緘装置であって、
前記封筒作成ジョブに含まれる前記内容物の枚数および用紙厚に基づいて、前記窓付き封筒に封入された内容物に位置ずれが生じるか否かを判定する判定手段と、
前記窓付き封筒に封入された内容物に位置ずれが生じると判定された場合に、前記内容物の復元力を強化する復元力強化手段と、
を備えたことを特徴とする封入封緘装置。
【発明の詳細な説明】
【技術分野】
【０００１】
本発明は、内容物の用紙ずれを防止する封書作成システムおよび封入封緘装置に関する。
【背景技術】
【０００２】
従来、封筒作成ジョブに基づいて封筒および内容物を印刷する印刷装置と、印刷装置により印刷された内容物を折り畳んで封入封緘する封入封緘装置とを備えた封書作成システムがある。
【０００３】
この封書作成システムでダイレクトメールを作成する場合、窓付き封筒が用いられることが多い。窓付き封筒には透明の窓が設けられており、この窓から内容物に印刷された配送先の宛名が見えるように、内容物が封入封緘される。
【０００４】
そのため、窓付き封筒の窓の位置と内容物に印刷された宛名位置とが一致するように封入封緘する必要がある。
【０００５】
その一方で、ユーザが内容物を取り出しやすいよう内容物の外寸より窓付き封筒の内寸の方が長くなるように成形されている。そのため、窓付き封筒の窓の位置と内容物に印刷された宛名位置とが一致するように封入封緘されたとしても、内容物に位置ずれが生じ、窓から宛名が見えなくなる場合があった。
【０００６】
特許文献１には、封入用紙が封筒内で動かないように封筒サイズとほぼ同じサイズに後処理がなされるよう、後処理における折り位置や断裁量を決定する印刷システムに関する技術が開示されている。
【先行技術文献】
【特許文献】
【０００７】
【特許文献１】特開２０１０−１７８０２８号公報
【発明の概要】
【発明が解決しようとする課題】
【０００８】
特許文献１の技術では、封入用紙が封筒内で動かないように封筒サイズとほぼ同じサイズに後処理がなされるので、ユーザは封筒内の内容物を取り出しにくかった。
【０００９】
また、後処理における折り位置や断裁量が決定されるので、ユーザが意図しない折り位置で内容物が折られてしまったり、断裁されたりすることがあった。
【００１０】
本発明は、このような課題に鑑みてなされたもので、内容物の用紙ずれを防止する封書作成システムおよび封入封緘装置を提供することを目的とする。
【課題を解決するための手段】
【００１１】
上記目的を達成するため、本発明に係る封書作成システムの第１の特徴は、
封筒作成ジョブに基づいて印刷手段により窓付き封筒および内容物を印刷する印刷装置と、前記印刷装置により宛名が印刷された内容物を紙折り手段で折り畳んで前記宛名が前記窓付き封筒の窓枠内となるように封入封緘する封入封緘装置とを備えた封書作成システムであって、
前記封筒作成ジョブに含まれる前記内容物の枚数および用紙厚に基づいて、前記窓付き封筒に封入された内容物に位置ずれが生じるか否かを判定する判定手段と、
前記窓付き封筒に封入された内容物に位置ずれが生じると判定された場合に、前記内容物の復元力を強化する復元力強化手段と、を備えることにある。
【発明の効果】
【００１２】
本発明に係る封書作成システムおよび封入封緘装置の特徴によれば、内容物の用紙ずれを防止することができる。
【図面の簡単な説明】
【００１３】
【図１】本発明の実施の形態に係る封書作成システムの構成を示す概略構成図である。
【図２】本発明の実施の形態に係る封書作成システムを模式的に示す機能構成図である。
【図３】本発明の実施の形態に係る封書作成システムにより作成された封書の一例を示した図である。
【図４】本発明の実施の形態に係る封書作成システムが備える記憶部に記憶された押圧力テーブルの一例を示した図である。
【図５】本発明の実施形態に係る封書作成システムの押圧力調整処理の処理内容を示すフローチャートである。
【図６】本発明の実施形態に係る封書作成システムの押圧力調整処理による効果を示した図である。
【図７】本発明の実施形態に係る封書作成システムの用紙変更処理の処理内容を示すフローチャートである。
【発明を実施するための形態】
【００１４】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１５】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１６】
［封書作成システムの基本構成］
本発明の実施の形態に係る封書作成システム１の基本構成について説明する。図１は、本発明の実施の形態に係る封書作成システム１の構成を示す概略構成図であり、図２は、実施の形態に係る封書作成システムを模式的に示す機能構成図である。
【００１７】
図１、図２に示すように、本実施の形態に係る封書作成システム１は、窓付き封筒用紙Ｐ１及び内容物用紙Ｐ２に印刷して排出する印刷装置２と、印刷装置２で印刷された窓付き封筒用紙Ｐ１から封筒を形成し、印刷装置２で印刷された内容物用紙Ｐ２を封筒に収納して封書Ｐ３を作成する封入封緘装置３とを備えている。
【００１８】
図３は、封書作成システム１により作成された封書Ｐ３の一例を示した図である。この図では、説明のために部分的に展開した図として示している。
【００１９】
封筒が形成される窓付き封筒用紙Ｐ１には、内容物用紙Ｐ２が見えるように窓部Ｐ１ａが設けられている。
【００２０】
内容物用紙Ｐ２は折り畳まれて、窓付き封筒用紙Ｐ１を折り畳むことにより形成された封筒内に封入されている。このとき、内容物用紙Ｐ２に印刷された宛名Ｐ２ａが、窓付き封筒用紙Ｐ１の窓部Ｐ１ａの窓枠内となるように封入封緘されている。
【００２１】
また、ユーザが作成された封書Ｐ３から内容物用紙Ｐ２を取り出しやすいよう、折り畳まれた内容物用紙Ｐ２の外寸より窓付き封筒用紙Ｐ１で形成された封筒の内寸の方が長くなるように、内容物用紙Ｐ２および窓付き封筒用紙Ｐ１が折り畳まれている。
【００２２】
図１，図２に戻り、印刷装置２は、窓付き封筒用紙Ｐ１及び内容物用紙Ｐ２に印刷して排出する装置であり、各部を収納する筐体の内部又は側面等に給紙部１１１を備えている。
【００２３】
給紙部１１１は、窓付き封筒用紙Ｐ１が載置された第１給紙トレイ１１１ａと、それぞれ厚みが異なる内容物用紙Ｐ２が載置された第２給紙トレイ１１１ｂ〜１１１ｄとを有している。
【００２４】
給紙部１１１それぞれには搬送経路１１３が接続されており、この搬送経路１１３上の複数個所に搬送ローラなどで構成された搬送部１１２が設けられている。搬送部１１２は、第１給紙トレイ１１１ａに載置された窓付き封筒用紙Ｐ１を１枚ずつ取り出し、搬送経路１１３上で搬送する。同様に、搬送部１１２は、第２給紙トレイ１１１ｂ〜１１１ｄに載置された内容物用紙Ｐ２を１枚ずつ取り出し、搬送経路１１３上で搬送する。
【００２５】
印刷装置２は、シアン（Ｃ）、ブラック（Ｋ）、マゼンタ（Ｍ）、イエロー（Ｙ）の各色のインクをそれぞれ吐出する４つのインクジェットヘッドＣ、Ｋ、Ｍ、Ｙからなる印刷部１１４を有している。搬送経路１１３上の印刷部１１４の上流には、検出部１１８が設けられており、搬送される窓付き封筒用紙Ｐ１や内容物用紙Ｐ２を検出する。
【００２６】
また、印刷装置２は、窓付き封筒用紙Ｐ１や内容物用紙Ｐ２を封入封緘装置３に排出する送出部１１５と、窓付き封筒用紙Ｐ１及び内容物用紙Ｐ２を印刷装置２外に排出する排紙部１１６と、搬送経路１１３を搬送されてきた内容物用紙Ｐ２を受け入れた後に逆行させて搬送経路１１３に戻して内容物用紙Ｐ２の上下を反転させる反転部１１７とを備えている。
【００２７】
封入封緘装置３は、図１及び図２に示すように、内容物折畳部１２１と、封筒形成部１２３と、封緘部１２６と、排出部１２７とを備えている。
【００２８】
内容物折畳部１２１は、印刷装置２から送られてきた印刷済みの内容物用紙Ｐ２を、封筒用紙枚分の枚数毎に集積して整合し、整合された内容物用紙を必要に応じて、２つ折り、３つ折り、４つ折りに折り畳む機構である。この内容物折畳部１２１は、内容物用紙Ｐ２の入口側に主折りローラ１３１が回転可能に設けられており、この主折りローラ１３１に隣接した位置には、主折りローラ１３１と協働して内容物用紙Ｐ２を搬送路から導入する導入ローラ１３２が回転可能に設けられている。また、主折りローラ１３１の下側には、主折りローラ１３１と導入ローラ１３２によって導入された内容物用紙Ｐ２を案内するガイド板１３３が設けられている。更に、ガイド板１３３には、内容物用紙Ｐ２（の先端）に突き当たって内容物用紙Ｐ２にたるみを与える突当て部材１３４がガイド板１３３に沿って位置調節可能に設けられている。そして、主折りローラ１３１に隣接しかつ導入ローラ１３２に対向した位置には、中間ローラ１３５が回転可能に設けられている。この中間ローラ１３５は、内容物用紙Ｐ２をたるませた状態で主折りローラ１３１と協働して内容物用紙Ｐ２を折り曲げるものである。内容物用紙Ｐ２を折り曲げる際の押圧力は主折りローラ１３１に対する中間ローラ１３５の押圧力によって定まる。中間ローラ１３５の回転軸は、バネなどの付勢手段１３５ａによりＡ１方向に付勢しているので、この付勢手段１３５ａの付勢力により主折りローラ１３１に対する中間ローラ１３５の押圧力が定まることになる。また、付勢手段１３５ａは、Ａ１方向に沿って位置調整可能に設けられており、付勢手段１３５ａの位置調整により押圧力の調整が可能となっている。
【００２９】
主折りローラ１３１の図に向かって左側には、主折りローラ１３１と中間ローラ１３５によって折り曲げられた内容物用紙Ｐ２を案内するガイド板１３６が設けられている。また、ガイド板１３６には、内容物用紙Ｐ２（の先端）に突き当たって内容物用紙Ｐ２にたるみを与える突当て部材１３７がガイド板１３６に沿って位置調節可能に設けられている。主折りローラ１３１に隣接しかつ中間ローラ１３５に対向した位置には、導出ローラ１３８が回転可能に設けられており、この導出ローラ１３８は、内容物用紙Ｐ２をたるませた状態で主折りローラ１３１と協働して内容物用紙Ｐ２を折り曲げつつ、搬送路へ導出するものである。内容物用紙Ｐ２を折り曲げる際の押圧力は主折りローラ１３１に対する導出ローラ１３８の押圧力によって定まる。導出ローラ１３８の回転軸は、バネなどの付勢手段１３８ａによりＡ２方向に付勢しているので、この付勢手段１３８ａの付勢力により主折りローラ１３１に対する導出ローラ１３８の押圧力が定まることになる。また、付勢手段１３８ａは、Ａ２方向に沿って位置調整可能に設けられており、付勢手段１３８ａの位置調整により押圧力の調整が可能となっている。
【００３０】
封筒形成部１２３は、印刷装置２から送られてきた印刷済みの窓付き封筒用紙Ｐ１から封筒を形成しつつ、内容物用紙Ｐ２を封筒に収納するとともに、窓付き封筒用紙Ｐ１の所定位置に設けられた再湿糊に水を塗布し、窓付き封筒用紙Ｐ１を折り曲げつつ所定位置の対向面を接着させることで封筒を形成する。具体的に封筒形成部１２３は、封筒となる窓付き封筒用紙Ｐ１を搬送しながら内容物用紙Ｐ２を包み込むように封入する。そして、水塗布処理部１２４で、内容物用紙Ｐ２を封入した窓付き封筒用紙Ｐ１に形成された再湿糊部に水塗布部１２４ａで水を塗布し、用紙折部１２５において水塗布後の窓付き封筒用紙Ｐ１を搬送しながら折り線に沿って所定の折り処理を施す。なお、封筒形成部１２３には折部１２２が接続されており、この折部１２２は４つ折り封筒（即ち、窓付き封筒用紙Ｐ１を３回折る場合）に使用する機構である。封筒が３つ折り封筒である場合には、折部１２２は使用せず、封筒形成部１２３で折りと封入を同時に行うこととなる。
【００３１】
封緘部１２６は、封筒形成部１２３で形成された、内容物用紙Ｐ２を収納した封筒を封緘して封書を完成させる。封緘部１２６では、封筒の感圧接着剤同士を圧着することで封緘することもできる。排出部１２７は、封緘処理された封書を装置筐体外部まで上昇搬送させた後、排出トレイ１２７ａまで水平に排出搬送する。
【００３２】
封書作成システム１の印刷装置２には、封書作成システム１の各部を統括制御する制御部１１９が備えられている。なお、制御部１１９は、ここでは、印刷装置２に備えられた例を挙げて説明するが、封入封緘装置３に備えられるようにしてもよい。
【００３３】
制御部１１９は、印刷装置２全体の動作を制御するとともに、封入封緘装置３全体の動作を制御する。制御部１１９は、ＣＰＵ、ＲＡＭ、ＲＯＭ、ハードディスク等を備えて構成される。制御部１１９には、操作パネル１２０が接続されている。
【００３４】
操作パネル１２０は、表示／入力パネル（図示しない）と、読み取りや印刷等を開始させるためのスタートキー、読み取りや印刷等を停止させるためのストップキー、印刷枚数等を入力するためのテンキー（いずれも図示せず）等の各種操作キーとを備え、ユーザ操作に基づく操作信号を制御部１１９に供給する。
【００３５】
制御部１１９は、封書作成用の印刷時において、封筒作成ジョブに基づき、窓付き封筒用紙Ｐ１及び内容物用紙Ｐ２を選択して給紙部１１１から給紙するよう制御する。封筒作成ジョブは、印刷画像データに加え、内容物用紙Ｐ２の枚数、内容物用紙Ｐ２の用紙厚など印刷および封入封緘のための設定情報を含み、封書作成用印刷の際に外部の端末装置から印刷装置２に送信される。
【００３６】
さらに、制御部１１９は、内容物用紙Ｐ２の位置ずれを防止するように、印刷装置２および封入封緘装置３を制御する。具体的には、図２に示すように、判定部１１９ａと、復元力強化部１１９ｂと、記憶部１１９ｃとを備える。
【００３７】
判定部１１９ａは、封筒作成ジョブに含まれる内容物用紙Ｐ２の枚数および内容物用紙Ｐ２の用紙厚に基づいて、窓付き封筒用紙Ｐ１で形成された封筒に封入された内容物用紙Ｐ２に位置ずれが生じるか否かを判定する。
【００３８】
上述したように、ユーザが内容物用紙Ｐ２を取り出しやすいよう、折り畳まれた内容物用紙Ｐ２の外寸より窓付き封筒用紙Ｐ１で形成された封筒の内寸の方が長くなるように、内容物用紙Ｐ２および窓付き封筒用紙Ｐ１が折り畳まれている。そのため、窓付き封筒用紙Ｐ１で形成された封筒内で内容物用紙Ｐ２の位置ずれが生じると、内容物用紙Ｐ２に印刷された宛名Ｐ２ａが窓付き封筒用紙Ｐ１の窓部Ｐ１ａの窓枠内から外れ、封筒の外側から宛名Ｐ２ａが見えなくなってしまう可能性がある。
【００３９】
内容物用紙Ｐ２に位置ずれが生じるか否かは、折り畳まれた内容物用紙Ｐ２が元の形状に戻ろうとする力である復元力に起因している。すなわち、内容物用紙Ｐ２の復元力が強いほど、封筒の内側が押圧される押圧力が大きくなり、内容物用紙Ｐ２と封筒との間の摩擦力が大きくなる。そのため、内容物用紙Ｐ２の位置ずれは生じ難くなる。その一方、内容物用紙Ｐ２の復元力が弱いほど内容物用紙Ｐ２の位置ずれは生じ易くなる。そして、この内容物用紙Ｐ２の復元力は、内容物用紙Ｐ２の枚数および用紙厚によって定まる。内容物用紙Ｐ２の枚数が多いほど復元力が強くなり、用紙厚が厚いほど復元力が強くなる。
【００４０】
そこで、判定部１１９ａは、内容物用紙Ｐ２の枚数Ｓが所定枚数Ｔｓより少なく、かつ内容物用紙Ｐ２の用紙厚Ｄが所定用紙厚Ｔｄより薄い場合に、復元力が弱く、窓付き封筒用紙Ｐ１で形成された封筒に封入された内容物用紙Ｐ２に位置ずれが生じると判定する。
【００４１】
復元力強化部１１９ｂは、判定部１１９ａにより窓付き封筒用紙Ｐ１で形成された封筒に封入された内容物用紙Ｐ２に位置ずれが生じると判定された場合、内容物用紙Ｐ２の復元力を強化する。具体的には、復元力強化部１１９ｂは、後述する押圧力テーブルに基づいて付勢手段１３５ａ，１３８ａの位置調整により押圧力を調整するか、または第２給紙トレイ１１１ｂ〜１１１ｄから厚い内容物用紙Ｐ２に変更して給紙させる。
【００４２】
記憶部１１９ｃは、押圧力テーブルを記憶する。
【００４３】
図４は、記憶部１１９ｃに記憶された押圧力テーブルの一例を示した図である。
【００４４】
図４に示すように、内容物用紙Ｐ２の枚数Ｓと、内容物用紙Ｐ２の用紙厚Ｄとに対応する押圧力Ｒ１〜Ｒ３が関係づけられて記憶されている。押圧力Ｒ１〜Ｒ３は、付勢手段１３５ａ，１３８ａによる押圧力であり、高い方からＲ１、Ｒ２、Ｒ３となる。そのため、付勢手段１３５ａ，１３８ａは、押圧力Ｒ１〜Ｒ３の３段階に設定可能となる。
【００４５】
［作用］
次に、本発明の実施形態に係る封書作成システム１の作用について説明する。
【００４６】
封書作成システム１では、上述したように、復元力強化部１１９ｂが復元力を強化するために、付勢手段１３８ａの位置調整により押圧力を調整する「押圧力調整処理」か、または第２給紙トレイ１１１ｂ〜１１１ｄから厚い内容物用紙Ｐ２に変更して給紙させる「用紙変更処理」のいずれかを実行する。そのため、それぞれの処理について以下に説明する。
【００４７】
＜押圧力調整処理＞
図５は、本発明の実施形態に係る封書作成システム１の押圧力調整処理の処理内容を示すフローチャートである。
【００４８】
制御部１１９は、封筒作成ジョブを受信すると（ステップＳ１０１；ＹＥＳ）、封筒作成ジョブから内容物用紙Ｐ２の枚数、内容物用紙Ｐ２の用紙厚の情報を取得する（ステップＳ１０３）。
【００４９】
そして、制御部１１９は、取得した内容物用紙Ｐ２の枚数および内容物用紙Ｐ２の用紙厚に基づいて、付勢手段１３５ａ，１３８ａの位置調整により押圧力を調整する（ステップＳ１０５）。具体的には、判定部１１９ａは、記憶部１１９ｃに記憶された押圧力テーブルに基づいて、内容物用紙Ｐ２の枚数Ｓが所定枚数Ｔｓより少なく、かつ内容物用紙Ｐ２の用紙厚Ｄが所定用紙厚Ｔｄより薄いか否かを判定する。そして、判定部１１９ａは、内容物用紙Ｐ２の枚数Ｓが所定枚数Ｔｓより少なく、かつ内容物用紙Ｐ２の用紙厚Ｄが所定用紙厚Ｔｄより薄い場合に、復元力が弱く、窓付き封筒用紙Ｐ１で形成された封筒に封入された内容物用紙Ｐ２に位置ずれが生じると判定する。また、判定部１１９ａは、内容物用紙Ｐ２の枚数Ｓが所定枚数Ｔｓ以上である、および／または内容物用紙Ｐ２の用紙厚Ｄが所定用紙厚Ｔｄ以上の厚さである場合、復元力が強いので、窓付き封筒用紙Ｐ１で形成された封筒に封入された内容物用紙Ｐ２に位置ずれは生じないと判定する。
【００５０】
復元力強化部１１９ｂは、押圧力テーブルに基づいて、枚数Ｓと用紙厚Ｄとに対応する押圧力を抽出し、押圧力で押圧するように付勢手段１３５ａ，１３８ａの位置調整を行う。例えば、判定部１１９ａにより、内容物用紙Ｐ２の枚数Ｓが所定枚数Ｔｓより少なく、かつ内容物用紙Ｐ２の用紙厚Ｄが所定用紙厚Ｔｄより薄い場合、復元力強化部１１９ｂは、押圧力テーブルに基づいて、所定枚数Ｔｓより少ない枚数Ｓと、所定用紙厚Ｔｄより薄い用紙厚Ｄとに対応する押圧力Ｒ３を抽出し、押圧力Ｒ３で押圧するように付勢手段１３５ａ，１３８ａの位置調整を行う。
【００５１】
その一方、判定部１１９ａにより内容物用紙Ｐ２の枚数Ｓが所定枚数Ｔｓ以上である、および／または内容物用紙Ｐ２の用紙厚Ｄが所定用紙厚Ｔｄ以上の厚さであると判定された場合、復元力強化部１１９ｂは、押圧力テーブルに基づいて、押圧力Ｒ３より大きい押圧力Ｒ１や押圧力Ｒ２を抽出し、抽出した押圧力Ｒ１または押圧力Ｒ２で押圧するように付勢手段１３５ａ，１３８ａの位置調整を行う。
【００５２】
図６は、押圧力調整処理による効果を示した図である。（ａ）は、封書作成システム１の押圧力調整処理による封入封緘された封書Ｐ３の断面を示しており、（ｂ）は、比較のため従来技術による封入封緘された封書の断面を示している。
【００５３】
図６（ｂ）に示すように、従来技術では、内容物用紙Ｐ２の枚数Ｓや内容物用紙Ｐ２の用紙厚Ｄにかかわらず、一定の押圧力で内容物用紙Ｐ２を折り畳む。そのため、内容物用紙Ｐ２の枚数Ｓが所定枚数Ｔｓより少なく、かつ内容物用紙Ｐ２の用紙厚Ｄが所定用紙厚Ｔｄより薄い場合には、復元力が弱く、内容物用紙Ｐ２はＢ１−Ｂ２方向に位置ずれが生じる。
【００５４】
その一方、図６（ａ）に示すように、封書作成システム１の押圧力調整処理では、内容物用紙Ｐ２の枚数Ｓが所定枚数Ｔｓより少なく、かつ内容物用紙Ｐ２の用紙厚Ｄが所定用紙厚Ｔｄより薄い場合に、付勢手段１３５ａ，１３８ａによる押圧力を押圧力Ｒ１，Ｒ２より小さい押圧力Ｒ３に調整する。そのため、内容物用紙Ｐ２の復元力が強くなり、封筒の内側が押圧される押圧力Ｃ１，Ｃ２が大きくなる。これにより、内容物用紙Ｐ２と封筒との間の摩擦力が大きくなるので、内容物用紙Ｐ２のＢ１−Ｂ２方向への位置ずれを防止することができる。
【００５５】
このように、判定部１１９ａにより窓付き封筒用紙Ｐ１で形成された封筒に封入された内容物用紙Ｐ２に位置ずれが生じると判定された場合、復元力強化部１１９ｂが、付勢手段１３５ａ，１３８ａによる押圧力を押圧力Ｒ１，Ｒ２より小さい押圧力Ｒ３に調整するので、内容物用紙Ｐ２の復元力を強化することができる。これにより、封筒の内側が押圧される押圧力が大きくなり、内容物用紙Ｐ２と封筒との間の摩擦力が大きくなるので、窓付き封筒用紙Ｐ１で形成された封筒に封入された内容物用紙Ｐ２の位置ずれを防止することができる。そのため、ユーザは、封筒の外側から宛名Ｐ２ａを確実に見ることができる。
【００５６】
＜用紙変更処理＞
図７は、本発明の実施形態に係る封書作成システム１の用紙変更処理の処理内容を示すフローチャートである。
【００５７】
制御部１１９は、封筒作成ジョブを受信すると（ステップＳ２０１；ＹＥＳ）、封筒作成ジョブから内容物用紙Ｐ２の枚数、内容物用紙Ｐ２の用紙厚の情報を取得する（ステップＳ２０３）。
【００５８】
判定部１１９ａは、内容物用紙Ｐ２の枚数Ｓが所定枚数Ｔｓより少ないか否かを判定する（ステップＳ２０５）。
【００５９】
内容物用紙Ｐ２の枚数Ｓが所定枚数Ｔｓより少ないと判定された場合（ステップＳ２０５；ＹＥＳ）、判定部１１９ａは、内容物用紙Ｐ２の用紙厚Ｄが所定用紙厚Ｔｄより薄いか否かを判定する（ステップＳ２０７）。
【００６０】
内容物用紙Ｐ２の用紙厚Ｄが所定用紙厚Ｔｄより薄いと判定された場合（ステップＳ２０７；ＹＥＳ）、復元力が弱く、窓付き封筒用紙Ｐ１で形成された封筒に封入された内容物用紙Ｐ２に位置ずれが生じると推測できる。
【００６１】
そこで、復元力強化部１１９ｂは、用紙厚を変更する（ステップＳ２０９）。具体的には、復元力強化部１１９ｂは、封筒作成ジョブから取得した内容物用紙Ｐ２の用紙厚より厚い内容物用紙Ｐ２を第２給紙トレイ１１１ｂ〜１１１ｄのいずれかから選択し、この選択した第２給紙トレイから給紙させて印刷させる。
【００６２】
このように、内容物用紙Ｐ２の枚数Ｓが所定枚数Ｔｓより少なく、内容物用紙Ｐ２の用紙厚Ｄが所定用紙厚Ｔｄより薄い場合に、復元力強化部１１９ｂが、封筒作成ジョブに含まれる内容物用紙Ｐ２の用紙厚より厚い内容物用紙Ｐ２を第２給紙トレイ１１１ｂ〜１１１ｄに給紙させる。
【００６３】
これにより、用紙厚が厚い内容物用紙Ｐ２が用いられるので、内容物用紙Ｐ２の復元力を強化することができる。そのため、封筒の内側が押圧される押圧力が大きくなり、内容物用紙Ｐ２と封筒との間の摩擦力が大きくなるので、窓付き封筒用紙Ｐ１で形成された封筒に封入された内容物用紙Ｐ２の位置ずれを防止することができる。そのため、ユーザは、封筒の外側から宛名Ｐ２ａを確実に見ることができる。
【００６４】
以上のように、本発明の実施形態に係る封書作成システム１によれば、判定部１１９ａが、封筒作成ジョブに含まれる内容物用紙Ｐ２の枚数および用紙厚に基づいて、窓付き封筒用紙Ｐ１に封入された内容物用紙Ｐ２に位置ずれが生じるか否かを判定し、復元力強化部１１９ｂが、窓付き封筒用紙Ｐ１に封入された内容物用紙Ｐ２に位置ずれが生じると判定された場合に、内容物用紙Ｐ２の復元力を強化する。
【００６５】
これにより、内容物用紙Ｐ２の用紙ずれを防止することができる。
【００６６】
（付記）
本出願は、以下の発明を開示する。
【００６７】
（付記１）
封筒作成ジョブに基づいて印刷手段により窓付き封筒および内容物を印刷する印刷装置と、前記印刷装置により宛名が印刷された内容物を紙折り手段で折り畳んで前記宛名が前記窓付き封筒の窓枠内となるように封入封緘する封入封緘装置とを備えた封書作成システムであって、
前記封筒作成ジョブに含まれる前記内容物の枚数および用紙厚に基づいて、前記窓付き封筒に封入された内容物に位置ずれが生じるか否かを判定する判定手段と、
前記窓付き封筒に封入された内容物に位置ずれが生じると判定された場合に、前記内容物の復元力を強化する復元力強化手段と、
を備えたことを特徴とする封書作成システム。
【００６８】
（付記２）
前記紙折り手段は、前記内容物を搬送しながら挟み込み押圧することに紙折りを行うローラと、前記ローラの押圧力を第一押圧力または前記第一押圧力より低い第二押圧力のいずれかに調整する押圧力調整手段とを有し、
前記復元力強化手段は、
前記内容物の枚数が所定枚数より少なく、かつ前記用紙厚が所定用紙厚より薄い場合に、前記押圧力調整手段による押圧力を前記第第二押圧力に調整させる
ことを特徴とする（付記１）記載の封書作成システム。
【００６９】
（付記３）
前記印刷装置は、複数種類の前記内容物をそれぞれ載置する給紙トレイを有し、前記給紙トレイからいずれかの内容物を前記印刷手段へ給紙する給紙手段を備え、
前記復元力強化手段は、
前記内容物の枚数が所定枚数より少なく、かつ前記用紙厚が所定用紙厚より薄い場合に、前記封筒作成ジョブに含まれる前記用紙厚より厚い内容物を前記給紙手段に給紙させる
ことを特徴とする（付記１）記載の封書作成システム。
【００７０】
（付記４）
封筒作成ジョブに基づいて印刷手段により窓付き封筒および内容物を印刷する印刷装置と接続され、前記印刷装置により宛名が印刷された内容物を紙折り手段で折り畳んで前記宛名が前記窓付き封筒の窓枠内となるように封入封緘する封入封緘装置であって、
前記封筒作成ジョブに含まれる前記内容物の枚数および用紙厚に基づいて、前記窓付き封筒に封入された内容物に位置ずれが生じるか否かを判定する判定手段と、
前記窓付き封筒に封入された内容物に位置ずれが生じると判定された場合に、前記内容物の復元力を強化する復元力強化手段と、
を備えたことを特徴とする封入封緘装置。
【符号の説明】
【００７１】
１  封書作成システム
２  印刷装置
３  封入封緘装置
１１１  給紙部
１１１ａ  第１給紙トレイ
１１１ｂ  第２給紙トレイ
１１１ｃ  第２給紙トレイ
１１１ｄ  第２給紙トレイ
１１２  搬送部
１１３  搬送経路
１１４  印刷部
１１５  送出部
１１６  排紙部
１１７  反転部
１１８  検出部
１１９  制御部
１１９ａ  判定部
１１９ｂ  復元力強化部
１１９ｃ  記憶部
１２０  操作パネル
１２１  内容物折畳部
１２２  折部
１２３  封筒形成部
１２４  水塗布処理部
１２５  用紙折部
１２６  封緘部
１２７  排出部
１３１  主折りローラ
１３２  導入ローラ
１３３，１３６  ガイド板
１３４，１３７  突当て部材
１３５  中間ローラ
１３５ａ，１３８ａ  付勢手段
１３８  導出ローラ
【図１】
2019206403.tif 000003
【図２】
2019206403.tif 000004
【図３】
2019206403.tif 000005
【図４】
2019206403.tif 000006
【図５】
2019206403.tif 000007
【図６】
2019206403.tif 000008
【図７】
2019206403.tif 000009